(57)【特許請求の範囲】
【請求項１】
筐体の一部に開口された差込口から差し込まれた洗浄対象部位に散布装置によりオゾン水を散布するようにした洗浄装置において、
前記筐体内のオゾンガスを前記差込口側から前記筐体の内方に向かう向きに強制的に循環させるオゾンガス循環部と、
前記筐体内を負圧状態にするオゾンガス排出部と、
を備えた洗浄装置。
【請求項２】
前記オゾンガス循環部は、前記筐体内に設けられた循環用送風ファンである
請求項１に記載の洗浄装置。
【請求項３】
前記筐体内には、前記送風ファンにより循環されるオゾンガスを前記差込口側から前記筐体の内方に向かう向きに案内する送風ガイド部材が設けられていることを
特徴とする請求項２に記載の洗浄装置。
【請求項４】
前記オゾンガス循環部は、
前記差込口に前記筐体の内方に指向して設けられ、循環オゾンガスを噴射する噴射口と、
前記筐体内のオゾンガスを吸引する循環用ポンプと、
当該吸引された循環オゾンガスを前記噴射口に供給する配管と、
を含むことを
特徴とする請求項１、２又は３のいずれか一項に記載の洗浄装置。
【請求項５】
前記筐体内に前記洗浄対象部位が存在するか否かを検出する検出部と、
制御部と、を備え、
前記オゾンガス循環部が、前記差込口に前記筐体の内方に指向して設けられ、循環オゾンガスを噴射する噴射口と、前記筐体内のオゾンガスを吸引する循環用ポンプと、当該吸引された循環オゾンガスを前記噴射口に供給する配管と、を含み、
前記制御部が、前記検出部からの検出信号に基づいて、前記散布装置、前記オゾンガス排出部、前記送風ファン、及び前記循環用ポンプを駆動することを
特徴とする請求項２又は３に記載の洗浄装置。
【発明の詳細な説明】
【技術分野】
【０００１】
本発明は、オゾン水を用いた洗浄装置に係り、より詳細には手指等の人体部位の殺菌洗浄に好適な洗浄装置に関する。
【背景技術】
【０００２】
各種給食施設、病院等では、衛生上、手洗いが義務付けられている。従来の手洗いの仕方としては、石鹸等の洗剤を使用する方法、あるいはクレゾールやエチルアルコール等の薬剤を用いる方法が一般的である。
【０００３】
しかし、上記施設の従事者は繁雑に手洗いを行う必要があるため、手荒れが問題となる。一方、石鹸や除菌アルコールを使用した洗浄の効果は、洗浄する人の個人差（洗い方等）に依存し、必ずしも完全な洗浄は期しがたい。
そこで、近年、手荒れを抑制することができ、かつ殺菌効果の高いオゾン水を利用した手洗い洗浄装置が種々開発されている（特許文献１、特許文献２参照）。
【先行技術文献】
【特許文献】
【０００４】
【特許文献１】特開平１１−２０６５９８号公報
【特許文献２】特開平７−３１６６５号公報
【発明の概要】
【発明が解決しようとする課題】
【０００５】
オゾン水を利用した手洗い洗浄装置では、洗浄時にオゾン水から分離されたオゾンガスの外部への漏出が問題となる。すなわち、オゾンガスは人体に悪影響を及ぼす可能性があるため、洗浄装置の筐体外への漏出防止策を講じる必要がある。
【０００６】
この点に関し、特許文献１、２の手洗い装置では、二酸化マンガンを備えた排気ファンにより保護カバー内のオゾンガスを酸素に分解して排出させる構成を採用している。また、特許文献１、２の手洗い装置は、洗浄容器内のオゾンガスの周囲への拡散または漏洩に対する対策として、洗浄容器内のオゾンガスを酸素に分解して洗浄容器外に排出する構成を用いている。
【０００７】
しかしながら、洗浄容器内のオゾンガスの周囲への拡散または漏洩を防止するのに、排出ファンによる洗浄容器内へのオゾンガスの引き込みだけでは不十分であり、依然として差込口からのオゾンガス漏出の問題は残るといわざるを得ない。
本発明の課題は、手の差込口からのオゾンガスの漏出を抑制し得る洗浄装置を提供することにある。
【課題を解決するための手段】
【０００８】
上記課題を解決するために、請求項１に記載の発明によれば、筐体の一部に開口された差込口から差し込まれた洗浄対象部位に散布装置によりオゾン水を散布するようにした洗浄装置において、前記筐体内のオゾンガスを前記差込口側から前記筐体の内方に向かう向きに強制的に循環させるオゾンガス循環部と、前記筐体内を負圧状態にするオゾンガス排出部と、を備えた洗浄装置が提供される。
【０００９】
請求項２に記載の発明によれば、請求項１に記載の洗浄装置において、前記ガス循環部が前記筐体内に設けられた循環用送風ファンである洗浄装置が提供される。
【００１０】
請求項３に記載の発明によれば、請求項２に記載の洗浄装置において、前記筐体内に、前記送風ファンにより循環されるオゾンガスを前記差込口側から前記筐体の内方に向かう向きに案内する送風ガイド部材が設けられている洗浄装置が提供される。
【００１１】
請求項４に記載の発明によれば、請求項１、２又は３のいずれか一項に記載の洗浄装置において、前記ガス循環部が前記差込口に前記筐体の内方に指向して設けられており、循環オゾンガスを噴射する噴射口と、前記筐体内のオゾンガスを吸引する循環用ポンプと、当該吸引された循環オゾンガスを前記噴射口に供給する配管と、を含む洗浄装置が提供される。
【００１２】
請求項５に記載の発明によれば、前記筐体内に前記洗浄対象部位が存在するか否かを検出する検出部と、当該検出部からの検出信号に基づいて、前記散布装置、前記オゾンガス排出部、前記送風ファン及び前記循環用ポンプを駆動する制御部と、を含む洗浄装置が提供される。
【発明の効果】
【００１３】
本発明によれば、手の差込口からのオゾンガスの漏出を抑制し得る洗浄装置を提供することができる。
【図面の簡単な説明】
【００１４】
【図１】本発明の第１の実施形態に係る洗浄装置の外観を示す立面図である。
【図２】本発明に係る洗浄装置の構成を示す縦断面図である。
【図３】本発明に係る洗浄装置の構成を示す横断面図である。
【図４】本発明に係る洗浄装置の制御シーケンスを示すフローチャートである。
【図５】本発明の第２の実施形態に係る洗浄装置の内部構成図である。
【図６】図５に記載の洗浄装置の動作フローチャートである。
【発明を実施するための形態】
【００１５】
（本発明の第１の実施形態）
以下、図面を参照して、本発明の第１の実施形態について説明する。
まず、洗浄装置の構成を説明する。
図１に洗浄装置の外観を示し、図２及び図３に洗浄装置の内部構成を示す。
洗浄装置は、筐体１と、筐体１内に収納されたオゾン水散布部と、散布されたオゾン水を回収するオゾン水回収部と、筐体１内に発生したオゾンガスを分解して外部に排出するオゾンガス排出部と、筐体１内に発生したオゾンガスを回収して再び筐体内に循環させるオゾンガス循環部と、を備える。
【００１６】
筐体１は、オゾンに対する耐食性を有する材料(例えば、ポリエステル等の合成樹脂、ガラスコーティングを施した材料等）からなり、箱状に形成されている。
筐体１の正面側壁面には、手を差し入れるための円形状の差込口２が開口されている。なお、差込口２の開口形状は、楕円形、矩形であっても差し支えない。
【００１７】
差込口２の内周端面は、筐体１の内周に向かって徐々に縮径するように、断面で見てテーパー状に形成されている。差込口２の内周面には、放射状位置に配置された複数の循環オゾンガス噴射口３が設けられている。この循環オゾンガス噴射口３は筐体１の内部に指向しており、オゾンガスを筐体１内に向けて噴出することができる。
【００１８】
オゾン水散布部は、オゾン水を発生するオゾン水供給器４と、このオゾン水供給器４から供給されるオゾン水を手等の殺菌対象部位に散布する噴射口３と、を有する。
オゾン水回収部は、筐体１内の下部に設けられた廃液回収用のホッパー５と、このホッパー５に回収された廃液を外部に排出する排出口６と、を有する。
【００１９】
オゾンガス排出部は、筐体１内から外部に向けて配された配管１２と、オゾンガス取り込み口１２の管路の途中に設けられたオゾン吸着器７と、オゾン吸着器７で清浄化された空気（オゾンガスからオゾンを取り除いた酸素ガス）を吸引し排出口８を介して外部に排出する排気用のポンプ１３とで構成される。このポンプ１３の吸引作用により、筐体１内は筐体１の外気圧に対して負圧の状態となる。
【００２０】
オゾン吸着器７内には、活性炭等のオゾン吸着剤が封入されている。
オゾンガス循環部は、第１の循環系と第２との二つの循環系からなる。
第１の循環系は、筐体１内のオゾンガスを筐体内で還流させる系である。
【００２１】
図３に示すように、第１の循環系は、筐体1内の左右の側壁に設けられたオゾンガス循環用の送風ファン１７、１８と、筐体1内の前後の内壁に設けられたガイド１９、２０、２１、２２を有する。この第１の循環系において、図３に矢印で示すように、送風ファン１７、１８の駆動により筐体１内のオゾンガスは筐体１内の中心部分→後壁→ガイド１９，２０→左右の側壁→送風ファン１７、１８→前壁のガイド２１、２２の経路を経て再び筐体１内の中心部分に戻るように強制循環される。この筐体１内部でのオゾンガスの循環により、オゾン水による殺菌に加えてオゾンガスによる殺菌効果を向上しうる。また、オゾンガスの還流方向が常に筐体内部に向かうので、差込口２からのオゾンガスの流出を抑制できる。
【００２２】
第２の循環系は、筐体１内のオゾンガスを一旦吸引し、吸引したオゾンガスを差込口２の循環オゾンガス噴射口３を介して再び筐体内に強制的に吹きこませる系である。
【００２３】
図２に示すように、第２の循環系は、筐体１の後壁に設けられたオゾンガス取り込み口１２と、配管から分岐された配管１５と、配管１５に設置されたポンプ１４と、差込口２に設けられた複数の噴射口３と、で構成される。
【００２４】
複数の噴射口３には、図３に示すように、差込口２の内周に沿って配された配管を通じて吸引オゾンガスが分配される。各噴射口３から噴射されるオゾンガスは、ポンプ１４により強制送気されるのでジェット噴流となる。噴射口３の噴射の強さは噴射口３の先端の内径を適宜選択することにより設定する。
【００２５】
なお、図示してないが、噴射口３の噴射方向を適調整可能な構成とすることにより、オゾンガスの漏出防止に最適な噴射方向を事後的にも調整することが可能となる。
その他、筐体１内には、浄対象部位が存在するか否かを検出するセンサ（検出部）２４と、制御部９と、が設けられている。
【００２６】
制御部９は、センサ２４からの検出信号に基づいて、オゾン純水供給器４、オゾンガス排出用のポンプ１３、送風ファン１７，１８及び循環用ポンプ１４の駆動を制御する。
制御部９としては、マイクロコンピュータを用いることができる。マイクロコンピュータは、ＣＰＵ、とＲＯＭと、作業エリアとしてのＲＡＭと、センサ２４からの検出信号を入力する入力ポートと、オゾン純水供給器４、オゾンガス排出用のポンプ１３、送風ファン１７，１８及び循環用ポンプ１４に駆動制御信号を送る出力ポートとを有する。マイクロコンピュータはＲＯＭに記憶された動作シーケンスプログラム（図４）をＲＡＭに展開し、この展開された動作シーケンスとＣＰＵとの協働により各部を統括的に制御する。
【００２７】
なお、マイクロコンピュータに代えて同様の動作シーケンスのロジックで構成されたＡＳＩＣ等の専用ICを用いてもよい。
センサ２４は、防水処置が施された光学センサ（フォトカップラ等）を用いることができる。
【００２８】
次に、洗浄装置の一連の動作を説明する。
図４に、制御部９が実行する動作シーケンスを示す。
まず、差込口２から手が差し込むと、センサ２４が手を検知する（ステップＳ１：YES）。この検知信号を受けた制御部９は、オゾン水供給装置４を駆動し（ステップＳ２）、噴射ノズル１０からオゾン水を散布させる。
【００２９】
次いで、制御部９は、排気用のポンプ１３の起動（ステップS３）、紫外線ランプ２３の点灯（ステップS４）、送風ファン１７、１８の起動（ステップS５）、ポンプ１４の起動を行う。
【００３０】
ここで、送風ファン１７、１８が起動されることにより、図３に示すように、筐体１内のオゾンガスは、矢印で示す向きに循環される。そして、噴射口３が筐体１の内方に向かうジェット噴流に引き込まれて再び筐体内に戻されるので、差込口２からのオゾンガスの漏出を防止することができる。また、オゾンガスの循環により、オゾン水の殺菌効果に加えてオゾンガスの殺菌効果も重畳されるので、殺菌効果をより高めることが可能となる。
【００３１】
次いで、所定の洗浄時間が経過したら（ステップS７：YES）、オゾン水供給装置４の停止によりオゾン水の供給の停止（ステップS８）、排出ポンプ１３の停止（ステップS８）、紫外線ランプ２３の消灯（ステップS１０）、送風ファン１７、１８の停止（S１１）、ポンプ１４の停止（ステップS１２）を行う。
【００３２】
次いで、ステップS１３で電源がＯＦＦされたか否かを検出し、YESであれば、当該洗浄装置の動作を停止させ、NOであれば、動作をステップS１に戻り、次の洗浄者の手の差し込みを待つ。
【００３３】
なお、本実施の形態では、殺菌洗浄対象部位として人体の手を例にして説明したが、足であっても差支えない。なお、必要に応じて足の殺菌消毒に適するように適宜改造又は変形した態様は、本発明の技術的範囲に属する。
【００３４】
（本発明の第２の実施形態）
本発明の第２の実施形態に係る洗浄装置について図５及び図６に基づいて説明する。この図５は本実施形態に係る洗浄装置の内部構成図、図６は図５に記載の洗浄装置の動作フローチャートを示す。
【００３５】
前記各図において、本実施形態に係る洗浄装置は、前記第１の実施形態と同様、筐体１、差込口２、循環オゾンガス噴射口３、オゾン水供給器４、廃液回収用のホッパー５、排出口６、オゾン吸着器７、排出口８、制御器９、散水器１０、廃液１１、配管１２、排気用のポンプ１３、ポンプ１４、配管１５、１６、オゾンガス循環用の送風ファン１７、１８、後壁の送風ガイド１９、２０、前壁の送風ガイド２１、２２、紫外線ランプ２３、センサ２４とを共通して備え、この構成に加えて、前記筐体１内に乾燥用の空気（例えば、温風等）を供給する乾燥器２５を備える構成である。
【００３６】
この乾燥器２５は、洗浄対象の手に対して直接噴射することができる。また、乾燥器２５は、前記直接噴射以外に、図示を省略する連結配管により前記配管１５に分岐弁（図示を省略）を介して接続され、この配管１５を経由して噴射口３から洗浄対象の手に対して温風等の乾燥用の空気を噴付けてオゾン水で洗浄された手を迅速に乾燥させることができる。
【００３７】
次に前記構成に基づく一連の洗浄動作について説明する。本実施形態に係る洗浄装置は前記第１の実施形態の動作と同様に、ステップＳ１からステップＳ８まで実行され、このステップＳ８の後に乾燥器２５を起動させ、筐体１に差込口２から挿入された洗浄対象の手に温風を噴射する（ステップＳ８１）。
【００３８】
この温風の噴射が予め設定された所定の乾燥時間を経過したか否かが制御器９にて判断され（ステップＳ８２）、所定乾燥時間を経過したと判断された場合には乾燥器２５を制御器９が停止させる（ステップＳ８３）。なお、前記乾燥器２５が温風等の乾燥用の空気を供給している間は、排気用のポンプ１３、紫外線ランプ２３、送風ファン１７、１８及びポンプ１４はいずれも起動状態にあり、残留するオゾンと共に温風等の乾燥用の空気を排気口８を介して外部に排出する。さらに、前記ステップＳ８３において乾燥器２５が停止した後は、前記第１の実施形態と同様にステップＳ９ないしステップＳ１３を実行して完了する。
【符号の説明】
【００３９】
１  筐体
２  差込口
３  噴射口
４  オゾン水供給器
５  廃液回収用のホッパー
６  排出口
７  オゾン吸着器
８  排気口
９  制御器
１０  散水器
１１  廃液
１２  オゾンガス取り込み口
１３  排気用のポンプ
１４  ポンプ(オゾンガス循環用)
１５  配管
１６  配管 (オゾンガス循環用)
１７  送風ファン
１８  送風ファン
１９  送風ガイド部材(後壁側)
２０  送風ガイド部材(後壁側)
２１  送風ガイド部材(前壁側）
２２  送風ガイド部材(前壁側）
２３  紫外線ランプ
２４  センサ
２５  乾燥器
【図１】
0005562661.tif 000002
【図２】
0005562661.tif 000003
【図３】
0005562661.tif 000004
【図４】
0005562661.tif 000005
【図５】
0005562661.tif 000006
【図６】
0005562661.tif 000007